(57)【要約】      （修正有）【課題】まつ毛エクステンションを短時間で美しく仕上げることを可能にする施術方法を提供する。【解決手段】まつ毛エクステンションのデザインシート１は、スタイル名称４０を付してまつ毛エクステンションのスタイルを一覧可能に表示する表示部１１を備え、外観イメージ図５０、外観写真６０およびアイラッシュの装着指標図７０が、共通の縮尺により表されて配列されている。装着指標図７０は、閉じた上まぶたの外縁を模式的に示す曲線部と、複数本のラッシュ線と、数字部とを備えて構成される。ラッシュ線は装着するアイラッシュの長さに対応する長さを有する。数字部はアイラッシュの長さを示す数により表されている。【選択図】図１
2020151380.tif 000002
【特許請求の範囲】
【請求項１】
多数本のアイラッシュを用いたまつ毛エクステンションのスタイルを示すデザインシートであって、
複数種類のまつ毛エクステンションのスタイルを、スタイル名称を付して一覧可能に表示する表示部を備え、
前記表示部には、目の外観イメージ図、目の外観写真およびアイラッシュの装着指標図が、共通の縮尺により表されて配列され、
前記装着指標図は、閉じた上まぶたの外縁を模式的に示す、下に凸形状の曲線部と、前記曲線部から下方に延びる複数本のラッシュ線と、前記ラッシュ線の先端部に表示された数字部とを備え、
各ラッシュ線は装着するアイラッシュの長さに対応する長さを有し、前記数字部は前記アイラッシュの長さを示す数により表されたことを特徴とするまつ毛エクステンションのデザインシート。
【請求項２】
請求項１に記載のまつ毛エクステンションのデザインシートにおいて、
前記装着指標図には、装着するアイラッシュの長さおよびカールについての説明が付されていることを特徴とするまつ毛エクステンションのデザインシート。
【請求項３】
請求項１または２に記載のまつ毛エクステンションのデザインシートにおいて、
前記外観イメージ図は、アイラッシュ装着後の目を、目を閉じた状態により模式的に示していることを特徴とするまつ毛エクステンションのデザインシート。
【請求項４】
請求項１〜３のいずれか１つの請求項に記載のまつ毛エクステンションのデザインシートにおいて、
前記外観写真は、アイラッシュ装着後の目を示す写真であって、目を開いた状態の写真と目を閉じた状態の写真とを含むことを特徴とするまつ毛エクステンションのデザインシート。
【請求項５】
請求項１〜４のいずれか１つの請求項に記載のまつ毛エクステンションのデザインシートにおいて、
前記外観写真は、さらに、アイラッシュを未装着の目の写真であって、目を開いた状態の写真と目を閉じた状態の写真とを含むことを特徴とするまつ毛エクステンションのデザインシート。
【請求項６】
請求項１〜５のいずれか１つの請求項に記載のまつ毛エクステンションのデザインシートにおいて、
前記外観イメージ図には当該スタイルの特徴説明が付されていることを特徴とするまつ毛エクステンションのデザインシート。
【請求項７】
請求項１〜６のいずれか１つの請求項に記載のまつ毛エクステンションのデザインシートにおいて、
前記表示部には、前記スタイルが有する特徴要素を軸として複数のスタイルが前記軸に沿って分布配列されていることを特徴とするまつ毛エクステンションのデザインシート。
【請求項８】
請求項７に記載のまつ毛エクステンションのデザインシートにおいて、
前記表示部には、スタイルごとの華やかさを横軸として複数のスタイルが段階的に配列され、
前記華やかさは、当該スタイルにおいて用いられるアイラッシュの平均長さを基準に表されることを特徴とするまつ毛エクステンションのデザインシート。
【請求項９】
請求項１〜８のいずれか１つの請求項に記載のまつ毛エクステンションのデザインシートにおいて、
１シートに１つの表示部が備えられ、前記表示部には複数のスタイルが一覧可能に配置されていることを特徴とするまつ毛エクステンションのデザインシート。
【請求項１０】
請求項１〜８のいずれか１つの請求項に記載のまつ毛エクステンションのデザインシートにおいて、
１シートに１つの表示部が備えられ、複数シートが重ねて綴じられていることを特徴とするまつ毛エクステンションのデザインシート。
【請求項１１】
請求項１〜１０のいずれか１つの請求項に記載のまつ毛エクステンションのデザインシートを用いて前記スタイルに応じたアイラッシュをまつ毛に装着することを特徴とするまつ毛エクステンション施術方法。
【請求項１２】
請求項１１に記載のまつ毛エクステンション施術方法において、
前記まつ毛エクステンションのデザインシートから１つのスタイルを選択するステップと、
選択したスタイルの装着指標図に示されたラッシュ線に対応する位置のまつ毛に、当該ラッシュ線および数字部に示された長さのアイラッシュを装着する第１装着ステップと、
前記外観イメージ図および前記外観写真のように、前記第１装着ステップで装着したアイラッシュ同士の間のまつ毛装着区間にアイラッシュを装着する第２装着ステップとを備え、
前記第２装着ステップでは、１つのまつ毛装着区間に対して１本のアイラッシュを装着する工程を、複数のまつ毛装着区間を順に往復して繰り返し行い、前記複数のまつ毛装着区間にわたって均等にアイラッシュを装着していくことを特徴とするまつ毛エクステンション施術方法。
【発明の詳細な説明】
【技術分野】
【０００１】
本発明は、まつ毛エクステンションのデザインシート、およびそれを用いたまつ毛エクステンション施術方法に関する。
【背景技術】
【０００２】
まつ毛エクステンションは、自身のまつ毛（自まつ毛）に、化学繊維などからなるアイラッシュまたはラッシュと呼ばれる人工のまつ毛を、専用の接着剤を用いて装着するものであり、まつ毛をより長く濃く見せる効果があることから広く好まれている。
【０００３】
この種のまつ毛エクステンションは、１本のまつ毛に１本のアイラッシュを装着してまつ毛を延長することが基本とされている。これに対し、複数本のまつ毛に１本のアイラッシュを装着したり、１本のまつ毛に複数本のアイラッシュを装着したりすることは、まつ毛の成長を妨げ、装着後の不快感等を生じることから好ましくないとされている。また、１本のまつ毛に１本のアイラッシュを装着する方法がとられることから、まつ毛エクステンションの施術は極めて細かな作業となり、手間と時間を要するものであって、美しく仕上げるには熟練を要するものとされていた。
【０００４】
例えば、特許文献１に記載された人工まつげの取り付け方法では、アイラッシュを装着しない下まつ毛をテープで抑えて作業を行いやすくし、ピンセットを用いて１本ずつ、まつ毛にアイラッシュを接着することが開示されている。さらに、この文献には、上まつ毛にもテープを貼って上まつ毛束を分離させ、上まつ毛が稠密にならないように処理することも提案されている。
【先行技術文献】
【特許文献】
【０００５】
【特許文献１】特許第５７７８７６号公報
【発明の概要】
【発明が解決しようとする課題】
【０００６】
前記特許文献１に開示されるような方法であると、テープワークに時間がかかるうえ、アイラッシュを装着直後の上まつ毛にもテープを貼ることになるので、既に装着されたアイラッシュが脱落したり位置ずれしたりするおそれがある。アイラッシュが適正位置に定着せず、まつ毛から少しでもずれてしまうと、アイラッシュが取れやすくなったりデリケートなまぶたの皮膚を刺激したりして、長期間にわたってまつ毛エクステンションを楽しむことができなくなるという問題点がある。
【０００７】
また、前記特許文献１に開示されるような方法では、部分的に集中してアイラッシュを接着するものであり、施術したまつ毛エクステンションの全体のバランスが悪くなったり、美しい仕上がりが得られなかったりする可能性がある。特に、まつ毛エクステンションには美的効果が求められることから、短時間で多数本のアイラッシュを取り付けられるだけでなく、好みの美しいデザインの目元になるように適確に施術されることが求められる。
【０００８】
本発明は、前記従来の問題点にかんがみてなされたものであり、その目的とするところは、熟練度によらず、まつ毛エクステンションを短時間で美しく仕上げることを可能にする、まつ毛エクステンションのデザインシートおよびそれを用いたまつ毛エクステンション施術方法を提供することにある。
【課題を解決するための手段】
【０００９】
前記の目的を達成するための本発明の解決手段は、多数本のアイラッシュを用いたまつ毛エクステンションのスタイルを示すデザインシートであって、複数種類のまつ毛エクステンションのスタイルを、スタイル名称を付して一覧可能に表示する表示部を備え、前記表示部には、目の外観イメージ図、目の外観写真およびアイラッシュの装着指標図が、共通の縮尺により表されて配列され、前記装着指標図は、閉じた上まぶたの外縁を模式的に示す、下に凸形状の曲線部と、前記曲線部から下方に延びる複数本のラッシュ線と、前記ラッシュ線の先端部に表示された数字部とを備え、各ラッシュ線は装着するアイラッシュの長さに対応する長さを有し、前記数字部は前記アイラッシュの長さを示す数により表されたことを特徴としている。
【００１０】
この特定事項により、まつ毛エクステンションのスタイルを一覧することができ、まつ毛エクステンションに関する経験や美的感覚の多少にかかわらず、所望のデザインのまつ毛エクステンションに係る情報を容易に得ることができる。また、被施術者にあっては、まつ毛エクステンションのデザインを相対的に比較したり認識したりすることができ、施術者にあっては、まつ毛エクステンションを美しく仕上げるために試行錯誤したり思案したりすることなく、多数本のアイラッシュをどのようにまつ毛に装着すれば良いかが一目でわかり、効率よく適確に施術することが可能となる。
【００１１】
また、上述した各解決手段に係るまつ毛エクステンションのデザインシートを用いたまつ毛エクステンション施術方法も本発明の技術的思想の範疇である。すなわち、本発明の解決手段は、前記まつ毛エクステンションのデザインシートを用いて、前記スタイルに応じたアイラッシュをまつ毛に装着することを特徴としている。
【００１２】
これにより、まつ毛エクステンションのデザインシートを見て、まつ毛エクステンションを短時間で美しく仕上げることが可能となり、美しく仕上げるために試行錯誤したり思案したりする時間や手間を要することなく、短時間で効率よく所望のまつ毛エクステンションを提供することが可能となる。
【発明の効果】
【００１３】
本発明により、まつ毛エクステンションを短時間で美しく仕上げることが可能となる。
【図面の簡単な説明】
【００１４】
【図１】本発明の実施形態１に係るまつ毛エクステンションのデザインシートの全体図である。
【図２】前記まつ毛エクステンションのデザインシートのナチュラルスタイルの欄を示す拡大図である。
【図３】前記まつ毛エクステンションのデザインシートのキュートスタイルの欄を示す拡大図である。
【図４】前記まつ毛エクステンションのデザインシートのセクシースタイルの欄を示す拡大図である。
【図５】前記まつ毛エクステンションのデザインシートのミックススタイルの欄を示す拡大図である。
【図６】前記まつ毛エクステンションのデザインシートのグラマースタイルの欄を示す拡大図である。
【図７】前記まつ毛エクステンションのデザインシートのグラマーセクシースタイルの欄を示す拡大図である。
【図８】前記まつ毛エクステンションのデザインシートの長さスケールを示す拡大図である。
【図９】図９（ａ）および図９（ｂ）は、まつ毛エクステンションに用いられるアイラッシュのカールについて示す説明図である。
【図１０】図１０（ａ）〜図１０（ｄ）は、まつ毛エクステンションに用いられるアイラッシュの太さについて示す説明図である。
【図１１】本発明の実施形態１に係るまつ毛エクステンション施術方法を示すフローチャートである。
【図１２】前記まつ毛エクステンションのデザインシートにおけるアイラッシュの装着指標図について示す説明図である。
【図１３】前記まつ毛エクステンション施術方法におけるアイラッシュの第１および第２装着ステップを示す説明図である。
【図１４】本発明の実施形態２に係るまつ毛エクステンションのデザインシートを示す概略斜視図である。
【発明を実施するための形態】
【００１５】
以下、本発明の実施形態に係るまつ毛エクステンションのデザインシート、およびこれを用いたまつ毛エクステンション施術方法について、図面を参照しつつ説明する。
【００１６】
−デザインシート−
（実施形態１）
図１は、本発明の実施形態１に係るまつ毛エクステンションのデザインシート１の全体図である。
【００１７】
まつ毛エクステンションは、まつ毛エクステ、または、まつエク等とも略され、人工のまつ毛であるアイラッシュを、グルーと呼ばれる接着剤を用いてまつ毛に装着するものであり、まつ毛を長く濃く見せる美的効果が期待されている。以下の説明では、まつ毛にアイラッシュを装着すること、またはアイラッシュが装着されたまつ毛全体を指して「まつ毛エクステンション」といい、また、人の目のまつ毛（自まつ毛）を「まつ毛」、そのまつ毛に装着される人工のまつげを「アイラッシュ」として両者を区別することとする。
【００１８】
まつ毛エクステンションは、用いられるアイラッシュによって、自然な雰囲気の仕上がりとなるデザインから華やかなデザインのものまで、多種多様なデザインで施術することが可能とされている。アイラッシュは、単にラッシュとも略され、カール、太さ、長さ、および色等によって多種類の構成を有している。
【００１９】
図９（ａ）および図９（ｂ）は、まつ毛エクステンションに用いられるアイラッシュのカールについて示す説明図である。また、図１０（ａ）〜図１０（ｄ）は、まつ毛エクステンションに用いられるアイラッシュの太さについて示す説明図である。
【００２０】
例えば、図９（ａ）に示すように、アイラッシュ２０は、基部２１から先端部２２に向かって上方へ弓状に反った湾曲形状に形成されたカールを有している。また、アイラッシュ２０は、そのカールが緩やかなものからカールが大きいものまで多種類ある。最も緩やかなカールを有するアイラッシュ２０は、図９（ａ）に実線にて示されるＪカール２０１であり、Ｊ字状に湾曲した形状を表して、そのカールがＪカールと呼ばれている。同図に比較のために想像線にて示すように、アイラッシュ２０のカールには、そのほかに、Ｊカール２０１よりもカールの度合いが強いＢカール２０２、さらに強いＣカール２０３、および、カールの度合いが最も強いＤカール２０４などがある。
【００２１】
図９（ｂ）に示すように、Ｊカール２０１およびＢカール２０２のアイラッシュ２０は、比較的自然な仕上がりのまつ毛エクステンションとなることから、ナチュラルなアイラッシュとして分類される。また、Ｃカール２０３およびＤカール２０４のアイラッシュ２０は、しっかりとした大きなカールを有し、華やかな印象のまつ毛エクステンションとなることから、ゴージャスなアイラッシュとして分類される。
【００２２】
また、図１０（ａ）〜図１０（ｄ）に示すように、アイラッシュ２０は複数種類の太さのものが用意されている。アイラッシュ２０は、基部２１から先端部２２に向かって徐々に細くなるように形成されている。アイラッシュ２０の太さは、最も太い部分である基部２１の直径により示されている。
【００２３】
例えば、Ｃカール２０３のアイラッシュ２０で説明すると、図１０（ａ）に示すアイラッシュ２０は０．１ｍｍの太さを有する。図１０（ｂ）に示すアイラッシュ２０では０．１２ｍｍ、図１０（ｃ）に示すアイラッシュ２０では０．１５ｍｍ、さらに図１０（ｄ）に示すアイラッシュ２０は０．２ｍｍの太さを有している。
【００２４】
デザインシート１は、まつ毛エクステンションのスタイルを示したものであり、前記のように多種類のアイラッシュ２０をどのように用いて美しいデザインのまつ毛エクステンションにするかが一目で理解できるように構成されている。図１に示すように、デザインシート１には、まつ毛エクステンションのスタイルを、スタイル名称４０を付して一覧可能に表示する表示部１１が備えられている。
【００２５】
例示の形態では、表示部１１には、「ナチュラルスタイル」、「キュートスタイル」、「セクシースタイル」、「ミックススタイル」、「グラマースタイル」、および「グラマーセクシースタイル」のスタイル名称４０を付して、６つのデザインのスタイルが示されている。表示部１１には、これら６つのスタイル名称４０ごとに、目の外観イメージ図５０、目の外観写真６０およびアイラッシュの装着指標図７０が配列されている。
【００２６】
図２は、まつ毛エクステンションのデザインシート１のナチュラルスタイルの欄を示す拡大図である。図２に示すように、「ナチュラルスタイル」では、ナチュラルスタイルを示す目の外観イメージ図５０、ナチュラルスタイルの装着指標図７０、および目の外観写真６０が、上から順に縦方向に配列されている。
【００２７】
・外観イメージ図
外観イメージ図５０は、アイラッシュ２０を装着後の目であって、片方の目を閉じた状態にて模式的に描いて示している。図２に示す例では、外観イメージ図５０として、ナチュラルスタイルのまつ毛エクステンションの場合の目が、円形の囲み線の中に図示されている。
【００２８】
外観イメージ図５０には、当該スタイルの特徴説明が付されている。ナチュラルスタイルでは、特徴説明として、「目の形に沿ったデザイン」、「自然なボリューム」、および「ナチュラルな仕上がり」といった説明が付されている。これにより、外観イメージ図５０を一目するだけでナチュラルスタイルがどのようなデザインであって、どのような特徴を有しているかを、容易に理解することができる。
【００２９】
・装着指標図
装着指標図７０は、外観イメージ図５０の下方に配列されている。図２に示すように、装着指標図７０は、下に凸形状の曲線部７１と、複数本のラッシュ線７２と、ラッシュ線７２の先端部に表示された数字部７３とを備えて描かれている。
【００３０】
曲線部７１は、片方の目の閉じた上まぶたの外縁を曲線により模式的に示している。ラッシュ線７２は、曲線部７１に接続され、曲線部７１から下方に延びる直線であり、曲線部７１に対して法線方向に描かれている。装着指標図７０は、曲線部７１とラッシュ線７２とによって、閉じた状態の目を模式的に示している。
【００３１】
ラッシュ線７２は、複数本が描かれている。ナチュラルスタイルでは、同じ長さのラッシュ線７２が５本、曲線部７１に対して均等に配置されている。この場合、曲線部７１の右端側は目頭側を表し、左端側は目尻側を表している。
【００３２】
ラッシュ線７２は、その長さにより、装着するアイラッシュ２０の長さを示している。数字部７３は、アイラッシュ２０の長さを示す数により表されている。ナチュラルスタイルにおける装着指標図７０には、数字部７３として、各ラッシュ線７２の先端部に「１０」と表示されている。これは、用いるアイラッシュ２０の長さが１０ｍｍであることを示している。
【００３３】
ラッシュ線７２は、装着の基準とするまつ毛の位置に対応させて配置されており、どの位置のまつ毛に、基準とする５本のアイラッシュ２０を装着するかを示している。この場合には、１０ｍｍの同じ長さのアイラッシュ２０を５本、目頭側から目尻側までの間のまつ毛に、等間隔で装着することを示している。
【００３４】
また、装着指標図７０には、装着するアイラッシュ２０の長さおよびカールについての説明が付されている。ナチュラルスタイルでは、「長さ：１０ｍｍ」および「カール：Ｊカール」といった情報が記載されている。これにより、ナチュラルスタイルのまつ毛エクステンションには、長さが１０ｍｍであるＪカール２０１のアイラッシュ２０を用いることが容易に理解できる。
【００３５】
・外観写真
外観写真６０は、まつ毛エクステンションのスタイルを写真により示したものであって、アイラッシュ２０を装着した後の目を示す写真である。図２に示すように、外観写真６０には、目を開いた状態の写真６１と、目を閉じた状態の写真６２とが含まれる。
【００３６】
写真６１、６２は、それぞれ人の右目を写しており、各写真の右側に目頭が、左側に目尻が位置するように配置されている。また、写真６１と写真６２とは、上下に配列されている。写真６２の下には、スタイルについての説明が付されている。ナチュラルスタイルでは、「自まつ毛（まつ毛）が少し伸びたような程度の一番ナチュラルなデザインです。」と記載されている。
【００３７】
これらの写真６１、６２により、ナチュラルスタイルのまつ毛エクステンションは実際にどのようなデザインであるか、目がどのように見えるかなどを、一見してイメージすることができる。
【００３８】
表示部１１に示された、これらの外観イメージ図５０、外観写真６０および装着指標図７０は、共通の縮尺（尺度）により表されている。複数の外観イメージ図５０同士または複数の装着指標図７０同士が、互いに共通の縮尺によってまつ毛エクステンションのスタイルを表しているだけでなく、外観イメージ図５０と外観写真６０と装着指標図７０とが、すべて同一の縮尺により示されており、共通の大きさの目を示すように形成されている。
【００３９】
なお、外観イメージ図５０、外観写真６０および装着指標図７０は、実際の目の大きさとなる実寸法（実物大）で示されてもよいし、実寸法よりも小さい縮尺または大きい縮尺により示されたものであってもよい。
【００４０】
したがって、外観イメージ図５０に示された目の大きさは、外観写真６０および装着指標図７０に表されている目とほぼ同じ大きさを有しており、これらの外観イメージ図５０および外観写真６０から共通の印象を得ることができるとともに、どのようなアイラッシュ２０がどのように用いられているかを容易に理解することができる。また、共通の縮尺により示された外観イメージ図５０、装着指標図７０、および外観写真６０を、見比べることにより、当該スタイルがより一層わかりやすくなり、まつ毛エクステンションの施術の際に役立つものとなる。
【００４１】
・キュートスタイル
図３は、まつ毛エクステンションのデザインシート１のキュートスタイルの欄を示す拡大図である。図３に示すように、デザインシート１の表示部１１には、キュートスタイルのスタイル名称４０とともに、キュートスタイルのまつ毛エクステンションについて、キュートスタイルの外観イメージ図５０、装着指標図７０、および外観写真６０により示されている。外観イメージ図５０には、キュートスタイルの特徴説明として、「中央に長さを出すスタイル」、および「縦幅が出て黒目が強調され、かわいらしい目元」と説明が付されている。
【００４２】
キュートスタイルの装着指標図７０は、曲線部７１から３種類の長さのラッシュ線７２が下方に延びて描かれている。左右両端のラッシュ線７２に対応する数字部７３には「１０」と記載されてラッシュ線７２が最も短く、真ん中に位置するラッシュ線７２に対応する数字部７３には「１３」と記載されてラッシュ線７２が最も長い。これらのラッシュ線７２の間には、数字部７３に「１２」と記載されたラッシュ線７２が配置されている。
【００４３】
装着指標図７０には、用いるアイラッシュ２０についての説明として、「長さ：１０〜１３ｍｍ」、「カール：Ｃカール」と記載されている。これにより、長さが１０ｍｍ、１２ｍｍ、および１３ｍｍである３種類のＣカール２０３のアイラッシュ２０を用いて、キュートスタイルのまつ毛エクステンションが構成されることがわかる。
【００４４】
キュートスタイルの外観写真６０（目を開いた状態の写真６１、および目を閉じた状態の写真６２）には、「中央に長さを出して黒目が強調され、やわらかい印象になります。」と説明が付されている。
【００４５】
・セクシースタイル
図４は、まつ毛エクステンションのデザインシート１のセクシースタイルの欄を示す拡大図である。図４に示すように、表示部１１には、セクシースタイルのスタイル名称４０とともに、セクシースタイルの外観イメージ図５０、装着指標図７０、および外観写真６０が表示されている。外観イメージ図５０には、セクシースタイルの特徴説明として、「目尻に長さを出すスタイル」、および「横幅が広がり、大人っぽくセクシーな目元に」と説明が付されている。
【００４６】
セクシースタイルの装着指標図７０は、曲線部７１から４種類の長さのラッシュ線７２が下方に延びて描かれている。ラッシュ線７２は４本記載されており、右端側から順に、ラッシュ線７２に対応する数字部７３に「１０」、「１１」、「１２」、「１３」と記載されている。すなわち、目頭側のラッシュ線７２が最も短く、目尻側ほど長いものとなっている。４本のラッシュ線７２は、曲線部７１に対して均等に配置されている。
【００４７】
装着指標図７０には、用いるアイラッシュ２０についての説明として、「長さ：１０〜１３ｍｍ」、「カール：Ｊカール」と記載されている。これにより、長さが１０ｍｍ、１１ｍｍ、１２ｍｍ、および１３ｍｍである４種類のＪカール２０１のアイラッシュ２０を用いて、セクシースタイルのまつ毛エクステンションが構成されることがわかる。
【００４８】
セクシースタイルの外観写真６０（目を開いた状態の写真６１、および目を閉じた状態の写真６２）には、「目頭から目尻にかけて徐々に長くなり、垂れ目や切れ長に見えます。」と説明が付されている。
【００４９】
・ミックススタイル
図５は、まつ毛エクステンションのデザインシート１のミックススタイルの欄を示す拡大図である。図５に示すように、表示部１１には、ミックススタイルのスタイル名称４０とともに、ミックススタイルの外観イメージ図５０、装着指標図７０、および外観写真６０が表示されている。外観イメージ図５０には、ミックススタイルの特徴説明として、「中央にも目尻にも長さを出す」、および「全体にボリュームが出る」と説明が付されている。
【００５０】
ミックススタイルの装着指標図７０は、曲線部７１から５本のラッシュ線７２が下方に延びて描かれている。これらのラッシュ線７２には３種類の長さが含まれており、右端側から順に、ラッシュ線７２に対応する数字部７３には「９」、「１０」、「１２」、「１２」、「１２」と記載されている。すなわち、目頭側のラッシュ線７２が最も短く９ｍｍであり、真ん中から目尻側にかけては１２ｍｍの長いものとなっている。５本のラッシュ線７２は、曲線部７１に対して均等に配置されている。
【００５１】
装着指標図７０には、用いるアイラッシュ２０についての説明として、「長さ：９〜１２ｍｍ」、「カール：Ｂカール」と記載されている。これにより、長さが９ｍｍ、１０ｍｍ、および１２ｍｍである３種類のＢカール２０２のアイラッシュ２０を用いて、ミックススタイルのまつ毛エクステンションが構成されることがわかる。
【００５２】
ミックススタイルの外観写真６０（目を開いた状態の写真６１、および目を閉じた状態の写真６２）には、「『キュート＋セクシー』で一番人気。縦横共に幅が出てボリューム感があります。」と説明が付されている。
【００５３】
・グラマースタイル
図６は、まつ毛エクステンションのデザインシート１のグラマースタイルの欄を示す拡大図である。図６に示すように、表示部１１には、グラマースタイルのスタイル名称４０とともに、グラマースタイルの外観イメージ図５０、装着指標図７０、および外観写真６０が表示されている。外観イメージ図５０には、グラマースタイルの特徴説明として、「中央にボリュームを出し目元をパッチリと見せてくれます」と説明が付されている。
【００５４】
グラマースタイルの装着指標図７０には、曲線部７１から７本のラッシュ線７２が下方に延びて描かれている。これらのラッシュ線７２には３種類の長さが含まれており、右端側から順に、ラッシュ線７２に対応する数字部７３に「１０」、「１１」、「１３」、「１３」、「１３」、「１１」、「１０」と記載されている。すなわち、目頭側および目尻側のラッシュ線７２が最も短く、真ん中寄りのラッシュ線７２が最も長いものとなっている。
【００５５】
７本のラッシュ線７２は曲線部７１に対して均等に配置されている。曲線部７１に対する真ん中位置には１３ｍｍの長さを示すラッシュ線７２が描かれ、この１３ｍｍを示すラッシュ線７２と、両端の１０ｍｍの長さを示すラッシュ線７２との間をそれぞれ等分するように、１１ｍｍを示すラッシュ線７２と１３ｍｍを示すラッシュ線７２の２本が描かれている。
【００５６】
装着指標図７０には、用いるアイラッシュ２０についての説明として、「長さ：１０〜１３ｍｍ」、「カール：Ｃカール」と記載されている。これにより、長さが１０ｍｍ、１１ｍｍ、および１３ｍｍである３種類のＣカール２０３のアイラッシュ２０を用いて、グラマースタイルのまつ毛エクステンションが構成されることがわかる。
【００５７】
グラマースタイルの外観写真６０（目を開いた状態の写真６１、および目を閉じた状態の写真６２）には、「一番ボリューム感が出るデザインです。つけまつ毛をつけたときに近い仕上がり。」と説明が付されている。
【００５８】
・グラマーセクシースタイル
図７は、まつ毛エクステンションのデザインシート１のグラマーセクシースタイルの欄を示す拡大図である。図７に示すように、表示部１１には、グラマーセクシースタイルのスタイル名称４０とともに、グラマーセクシースタイルの外観イメージ図５０、装着指標図７０、および外観写真６０が表示されている。外観イメージ図５０には、グラマーセクシースタイルの特徴説明として、「目尻にたっぷりとボリュームを出したデザイン」、および「お人形のような印象に」と説明が付されている。
【００５９】
グラマーセクシースタイルの装着指標図７０は、曲線部７１から５本のラッシュ線７２が下方に延びて描かれている。これらのラッシュ線７２には３種類の長さが含まれており、右端側から順に、ラッシュ線７２に対応する数字部７３に「１０」、「１１」、「１３」、「１３」、「１３」と記載されている。すなわち、目頭側のラッシュ線７２が最も短く１０ｍｍであり、真ん中から目尻側にかけては１３ｍｍの長いものとなっている。５本のラッシュ線７２は曲線部７１に対して均等に配置されている。
【００６０】
装着指標図７０には、用いるアイラッシュ２０についての説明として、「長さ：１０〜１３ｍｍ」、「カール：Ｊカール」と記載されている。これにより、長さが１０ｍｍ、１１ｍｍ、および１３ｍｍである３種類のＪカール２０１のアイラッシュ２０を用いて、グラマーセクシースタイルのまつ毛エクステンションが構成されることがわかる。
【００６１】
グラマーセクシースタイルの外観写真６０（目を開いた状態の写真６１、および目を閉じた状態の写真６２）には、「ボリューム感がありながら大人っぽい印象に仕上がるデザインです。」と説明が付されている。
【００６２】
このように、表示部１１に示される「ナチュラルスタイル」、「キュートスタイル」、「セクシースタイル」、「ミックススタイル」、「グラマースタイル」、および「グラマーセクシースタイル」の６つのスタイルは、当該スタイルが有する特徴要素を軸として分布配列されている。図１に示すデザインシート１では、表示部１１には、当該スタイルの華やかさを横軸として６つのスタイルが段階的に配列されている。この「華やかさ」は、当該スタイルにおいて用いられるアイラッシュ２０の平均長さを基準として表される。
【００６３】
例えば、ナチュラルスタイルでのアイラッシュ２０の平均長さは１０ｍｍであるのに対し、キュートスタイルでのアイラッシュ２０の平均長さは１１．４ｍｍである。また、例えば、グラマースタイルでのアイラッシュ２０の平均長さは１１．５７ｍｍであるのに対し、グラマーセクシースタイルでのアイラッシュ２０の平均長さは１２ｍｍである。
【００６４】
用いられているアイラッシュ２０が長いと、全体としてボリューム感があり、華やかな印象を受ける。まつ毛エクステンションのスタイルを選択する際の１つの指標として、かかる特徴要素を横軸に、「ナチュラルスタイル」、「キュートスタイル」、「セクシースタイル」、「ミックススタイル」、「グラマースタイル」、「グラマーセクシースタイル」の順に配列することで、所望のスタイルを容易に見つけ出すことが可能となる。
【００６５】
また、図１に示すデザインシート１は、１シートに１つの表示部１１が備えられており、この表示部１１に６つのスタイルが一覧可能に配置されている。この場合、１シートの最も左側に「ナチュラルスタイル」が配置され、最も右側に「グラマーセクシースタイル」が配置されている。したがって、デザインシート１には、まつ毛エクステンションのスタイルについて、シートの左側ほどナチュラルなデザインのものが配置され、シートの右側ほど華やかなデザインのものが配置されている。
【００６６】
表示部１１の右上には、まつ毛エクステンションの施術前の写真が表示されていることが好ましい。この場合、アイラッシュ２０を未装着の目の外観写真６００が「Ｂｅｆｏｒｅ」として示されている。
【００６７】
外観写真６００には、目を開いた状態の写真６０１と、目を閉じた状態の写真６０２とが含まれている。外観写真６００に写された目は、各スタイルを示す目の外観写真６０に写された目と同じ目である。これにより、施術前の外観写真６００と施術後の外観写真６０とを比較して見ることができ、まつ毛エクステンションの仕上がりを容易にイメージすることが可能となる。
【００６８】
デザインシート１の表示部１１には、さらに、アイラッシュの長さスケール３０が示されていてもよい。長さスケール３０は、複数種類あるアイラッシュ２０の長さを説明したものであり、どのような長さのアイラッシュ２０を用いるか、また、長さによってどのように印象が異なるか等、アイラッシュ２０の長さについて理解するのに役立つ。
【００６９】
図８は、長さスケール３０の一例を示す拡大図である。例示の長さスケール３０は、アイラッシュ２０の長さが８ｍｍ〜１４ｍｍについて示されており、横軸に８ｍｍ〜１４ｍｍまで１ｍｍ間隔で目盛が設けられている。また、アイラッシュ２０の長さの８ｍｍ〜１０ｍｍは「短め」であって、１１〜１４ｍｍは「長め」であることが示されている。１０ｍｍ〜１１ｍｍは「平均」の長さとされている。長さスケール３０には、「まつ毛は平均７ｍｍ」と説明が付されており、アイラッシュ２０を装着前のまつ毛の長さを考慮して、アイラッシュ２０の長さを選択しやすいように構成されている。
【００７０】
なお、一般に、アイラッシュ２０の長さは、カールを有するアイラッシュ２０の基部２１から先端部２２までの曲線に沿う長さではなく、基部２１と先端部２２との直線距離の長さをいう。通常、よく用いられるアイラッシュ２０の長さは、１１〜１２ｍｍとされている。より自然な仕上がりを好む場合には、長さ１０ｍｍのアイラッシュ２０が用いられることが多い。
【００７１】
前記のように構成されるデザインシート１によって、複数種類あるアイラッシュ２０を効果的に用いて美しいデザインのまつ毛エクステンションを形成することができる。なお、デザインシート１に表示するまつ毛エクステンションのスタイルは、前記の６種類に限られず、さらに多くのスタイルが一覧可能に配列されてもよい。また、上まつ毛にアイラッシュ２０を装着するデザインだけでなく、上まつ毛と同様に下まつ毛にアイラッシュ２０を装着するデザインが示されていてもよい。
【００７２】
−まつ毛エクステンション施術方法−
前述のまつ毛エクステンションのデザインシート１を用いて、アイラッシュ２０をまつ毛に装着するまつ毛エクステンション施術方法について説明する。
【００７３】
図１１は、本発明の実施形態１に係るまつ毛エクステンション施術方法を示すフローチャートである。この方法では、まつ毛エクステンションのデザインシート１を使用しながら、デザインシート１に示されるスタイルに応じてアイラッシュ２０をまつ毛に装着し、目元を美しくすることを提供する。
【００７４】
・カウンセリング（Ｓ１）
まつ毛エクステンションの施術に際しては、わかりやすく丁寧なカウンセリングが求められる。カウンセリングを通じて、被施術者のまつ毛の状態をよく確認するとともに、適切な提案を行うことで、事故や病気の発生を防ぐことが好ましい。
【００７５】
そこで、施術作業の前に、十分なカウンセリングを行う（ステップＳ１）。ここでは、被施術者のまつ毛の毛質、太さ、および長さなどの特徴を確認し、適合するアイラッシュ２０について検討する。
【００７６】
特に、まつ毛と、まつ毛に装着するアイラッシュ２０とのカール形状に差があると、まつ毛の根元から先端までのアイラッシュ２０との接着面が少なくなる。そのため、まつ毛に係る前記特徴を見極め、適正なアイラッシュ２０を選択し、接着面が広くなるようにすることが好ましい。アイラッシュ２０とまつ毛とが、しっかりと接着されて密着一体化することで、まつ毛エクステンションの持続性が高められるからである。
【００７７】
・スタイル選択（Ｓ２）
カウンセリングの後、またはカウンセリングと並行して、まつ毛エクステンションのスタイルを選択する（ステップＳ２）。図１に示したまつ毛エクステンションのデザインシート１には、６種類のスタイルが、華やかさの度合いを軸にして一覧可能に配列されている。
【００７８】
例えば、「ナチュラルスタイル」は、普段、ナチュラルメイクである人に推奨される。また、「キュートスタイル」は、かわいらしい目元にしたい人に推奨され、「ミックススタイル」は、目元にボリューム感を出したい人に推奨される。このような、なりたい目元のイメージに基づいて、まつ毛エクステンションのデザインシート１から、１つのスタイルを選択することができる。
【００７９】
また、スタイルを選択する際には、デザインシート１を用いることによって、カウンセリングの結果に基づいて、目の形や、まつ毛の形状および状態に合うデザインであって、似合うまつ毛エクステンションとなるように提案することが可能となる。まつ毛に対して太すぎるアイラッシュ２０や長すぎるアイラッシュ２０は、まつ毛に負担をかけることとなるので、まつ毛の状態に応じたアイラッシュ２０を選択するとともに、スタイルを決定することが好ましい。
【００８０】
デザインシート１を用いてスタイルを選択することで、施術者と被施術者との間でイメージを共有することができ、満足度の高いまつ毛エクステンションの提供につなげることができる。
【００８１】
・準備ステップ（Ｓ３）
次いで、まつ毛エクステンションのための準備を整える（準備ステップＳ３）。まつ毛エクステンションを行う被施術者の目を清潔にし、マスカラなどのアイメイクを除去する。また、選択したスタイルに用いる１種類または複数種類のアイラッシュ２０を用意するとともに、グルーと呼ばれる速乾性の接着剤やツイザーと呼ばれるピンセット等の必要な材料および道具を作業トレイなどにセッティングする。
【００８２】
施術対象ではない下まつ毛（または上まつ毛）に、テープワークを施す。必要に応じて、眉毛にもテープワークを施す。テープワークは、医療用テープ等を貼着して、施術中の目を保護するとともに作業性を高めるものである。
【００８３】
・アイラッシュの第１装着ステップ（Ｓ４）
選択したスタイルの装着指標図７０に示されたラッシュ線７２に対応する位置のまつ毛に、当該ラッシュ線７２および数字部７３に示された長さのアイラッシュ２０を装着する（第１装着ステップＳ４）。
【００８４】
例えば、ナチュラルスタイルであれば、図２に示される表示部１１の記載を参照し、長さ１０ｍｍでＪカールのアイラッシュ２０を用意する。装着指標図７０の記載に基づいて、ラッシュ線７２に対応する位置の１本のまつ毛に、長さ１０ｍｍでＪカールの１本のアイラッシュ２０を装着する。
【００８５】
図１２は、まつ毛エクステンションのデザインシート１におけるアイラッシュ２０の装着指標図７０について示す説明図である。装着する順序は、図１２に示すように、向かって右側の目（実際には左目）における、目頭寄りの位置のまつ毛（１）にまず装着し、次いで、向かって左側の目（実際には右目）における、目頭寄りの位置のまつ毛（２）に装着する。
【００８６】
次いで、向かって右側の目における、目尻寄りの位置のまつ毛（３）に装着し、その後、向かって左側の目における、目尻寄りの位置のまつ毛（４）に装着する。これにより、アイラッシュ２０を装着する全体の範囲が、向かって右側の目では（１）から（３）の間の範囲となり、向かって左側の目では（２）から（４）の間の範囲となる。
【００８７】
次いで、アイラッシュ２０を、向かって右側の目における、（１）と（３）のまつ毛の間の中央に位置するまつ毛（５）に装着した後、向かって左側の目における（２）と（４）のまつ毛の間の中央に位置するまつ毛（６）に装着する。同様にして、図１２に示される数字の順に従って、１０本のアイラッシュ２０を装着していく。
【００８８】
このようにしてラッシュ線７２に対応する位置のまつ毛に、アイラッシュ２０をそれぞれ装着する。アイラッシュ２０の装着は、１本のまつ毛に１本のアイラッシュ２０を装着することが基本であり、かつ、左目のまつ毛と、右目のまつ毛とに、交互に１本ずつ装着することが好ましい。これによって、一方の目のまつ毛にアイラッシュ２０を装着している間に、他方の目のまつ毛に装着したアイラッシュ２０の接着剤を乾燥させ、十分に硬化させることができる。
【００８９】
アイラッシュ２０の装着に際しては、両手にそれぞれツイザーを持ち、利き手のツイザー（セットツイザー）で１本のアイラッシュ２０を保持し、反対の手のツイザー（セレクトツイザー）でアイラッシュ２０の装着対象となるまつ毛を選び出す。
【００９０】
図１３に示すように、グルーと呼ばれる速乾性の接着剤８１は、プレート８２上にドーム型に取り出して用意する。セットツイザー８３で保持したアイラッシュ２０の基部２１側をプレート８２の接着剤８１に没入させ、この接着剤８１を付着させる。アイラッシュ２０の基部２１を接着剤８１から引き上げるときには、アイラッシュ２０のカーブに沿って斜め上方に引き出すようにする。これによって、適量の接着剤８１をアイラッシュ２０に均等に塗布することができ、ダマになることなく、まつ毛に接着することができる。
【００９１】
接着剤８１を塗布する範囲は、アイラッシュ２０の基部２１（根元側の端部）から４ｍｍ程度であり、アイラッシュ２０の長さ全体に対して１／３程度の範囲とすることが好ましい。まつ毛とアイラッシュ２０とは、接着剤８１を介して完全に密着させる。
【００９２】
・アイラッシュの第２装着ステップ（Ｓ５）
次いで、装着指標図７０、外観イメージ図５０および外観写真６０を参照しながら、第１装着ステップで装着したアイラッシュ２０同士の間のまつ毛に、さらにアイラッシュ２０を装着する（第２装着ステップＳ５）。この第２装着ステップＳ５では、第１装着ステップＳ４で装着した１０本のアイラッシュ２０同士の間に生えているまつ毛に、新たなアイラッシュ２０を１本ずつ装着していく。
【００９３】
図１２に示す例では、まず、（１）と（７）の間のまつ毛装着区間７４に位置する１本のまつ毛に、１本のアイラッシュ２０を装着し、次いで、（２）と（８）の間のまつ毛装着区間７４に位置するまつ毛に、１本のアイラッシュ２０を装着する。続いて、（７）と（５）の間のまつ毛装着区間７４に１本のアイラッシュ２０を装着し、次いで、（８）と（６）との間のまつ毛装着区間７４に１本のアイラッシュ２０を装着する。
【００９４】
このようにして、１つのまつ毛装着区間７４に対して１本のアイラッシュ２０を装着する工程を、各まつ毛装着区間７４に対して順に行っていく。そして、左目と右目とを交互に往復しながら、複数の異なるまつ毛装着区間７４に順にアイラッシュ２０を装着する。これによって、多数本のアイラッシュ２０を偏りなく、バランス良く配置するとともに、複数のまつ毛装着区間７４にわたって均等にアイラッシュ２０を装着して、外観イメージ図５０および外観写真６０に示されたスタイルを形成する。
【００９５】
アイラッシュ２０の本数は、両目で６０本〜２００本程度とされ、多いほど華やかさが増す。１つのまつ毛装着区間７４に集中してアイラッシュ２０を装着するのではなく、左右の目を往復しながら、各まつ毛装着区間７４にまんべんなくアイラッシュ２０を装着していくことで、装着したアイラッシュ２０の全体のバランスを見ながら、まつ毛エクステンションを形成することができる。
【００９６】
第２装着ステップＳ５では、多数本のアイラッシュ２０を装着していくときに、該当するスタイルの外観イメージ図５０や外観写真６０を参照することができるので、どのような位置にどの程度の本数のどのようなアイラッシュ２０を装着すればよいかが一目でわかり、考える必要性がなくなる。そのため、作業をしながらデザインを検討したり、試行錯誤したりすることが防がれ、その検討等に要する時間を省略することができ、短時間で効率よく作業を終えることが可能となる。
【００９７】
・仕上げ（Ｓ６）
アイラッシュ２０を全て装着した後、必要に応じて送風機等を用いて接着剤８１を硬化させるとともに、アイラッシュ２０の位置ずれや浮きがないかどうかを確認する。また、下まつ毛等に貼着していたテープを除去し、まつ毛エクステンションを仕上げる（Ｓ６）。
【００９８】
以上のように、まつ毛エクステンションのデザインシート１を用いることで、まつ毛エクステンションの施術に必要とされる、美的感覚や熟練度などを補うことが可能となり、一定の技術でのまつ毛エクステンションを提供することが可能となる。
【００９９】
（実施形態２）
図１４は、本発明の実施形態２に係るデザインシート１０を示す斜視図である。なお、本実施形態に係るデザインシート１０は、表示部１１に示される構成が前記実施形態１に係るデザインシート１と共通する構成を有することから、前記実施形態１と共通の参照符号により示して、その重複する説明については省略する。
【０１００】
デザインシート１０は、１枚のシート１０１に複数種類のデザインを有するまつ毛エクステンションのスタイルを一覧可能に表示しており、さらに、この形態に係るデザインシート１０では、そのようなシート１０１を複数枚備えて構成されている。
【０１０１】
デザインシート１０は、複数枚のシート１０１が重ねられて綴じられている。１枚のシート１０１には、１つの表示部１１が備えられている。図示は省略するが、表示部１１には、スタイル名称４０を付した１つのスタイルが示されていてもよいし、複数のスタイルが示されていてもよい。また、表示部１１には、各スタイルが有する特徴要素を軸として分布配列されていることが好ましい。
【０１０２】
デザインシート１０を構成する複数枚のシート１０１には、それぞれ複数の綴じ孔１０２が設けられている。これにより、複数枚のシート１０１は、綴じ孔１０２を介して線状体１０３などのファイリング用具により１冊のスタイル帳としてまとめられている。これにより、複数のスタイルをコンパクトにまとめて示すことができ、携帯したり閲覧のために配布したりすることが可能となる。
【０１０３】
以上、説明したように、本発明に係るまつ毛エクステンションのデザインシート１およびまつ毛エクステンション施術方法によれば、美しく仕上げるために試行錯誤したり検討したりする時間や手間を要することなく、短時間で効率よく所望のまつ毛エクステンションを提供することが可能となる。また、このような施術者側のメリットだけでなく、被施術者がまつ毛エクステンションのデザインシートを一覧することで、好みのデザインのまつ毛エクステンションのスタイルを見つけやすくなり、当該スタイルへの理解が深まり、施術者とイメージを共有することが可能となる。これにより、より満足度の高いまつ毛エクステンションを提供することができる。
【０１０４】
なお、本発明に係るまつ毛エクステンションのデザインシート１は、スタイル名称４０を付してまつ毛エクステンションのスタイルを一覧可能に表示する表示部１１を備えて、目の外観イメージ図５０、目の外観写真６０およびアイラッシュの装着指標図７０が共通の縮尺により表され、装着指標図７０にはラッシュ線７２がアイラッシュ２０の長さに対応する長さを有し、アイラッシュ２０の長さを示す数字部７３を有するものであれば、紙面などのシート上に表示されたものであるに限られず、例えばパーソナルコンピュータや携帯端末等の画面に表示されて、表示部をタッチする等により選択したスタイルに係る詳細な情報が得られるように構成されてもよい。
【０１０５】
そのため、前記実施形態１および２は本発明の例示であるに過ぎず、本発明は他の様々な形態により実施することができる。本発明は、請求項に示される範囲で種々の変更が可能であり、異なる実施形態に開示された技術的手段を適宜組み合わせて得られる実施形態についても本発明の技術的範囲に含まれる。
【産業上の利用可能性】
【０１０６】
本発明は、アイラッシュを用いたまつ毛エクステンションに好適に利用可能である。
【符号の説明】
【０１０７】
１、１０  デザインシート
１１    表示部
２０    アイラッシュ
２０１  Ｊカール
２０２  Ｂカール
２０３  Ｃカール
２０４  Ｄカール
３０    長さスケール
４０    スタイル名称
５０    外観イメージ図
６０    外観写真
６１    写真
６２    写真
７０    装着指標図
７１    曲線部
７２    ラッシュ線
７３    数字部
７４    まつ毛装着区間
【図１】
2020151380.tif 000003
【図２】
2020151380.tif 000004
【図３】
2020151380.tif 000005
【図４】
2020151380.tif 000006
【図５】
2020151380.tif 000007
【図６】
2020151380.tif 000008
【図７】
2020151380.tif 000009
【図８】
2020151380.tif 000010
【図９】
2020151380.tif 000011
【図１０】
2020151380.tif 000012
【図１１】
2020151380.tif 000013
【図１２】
2020151380.tif 000014
【図１３】
2020151380.tif 000015
【図１４】
2020151380.tif 000016